(57)【要約】【課題】硬貨を傷つけることなく一枚ずつ繰出すことができる硬貨繰出装置を提供する。【解決手段】回転円盤２の硬貨案内孔３の縁部および係止排出部８に当接して傾斜した硬貨Ｃの端部で、タンクスプリング（アーム）２１の自由端部２１１を押圧し、回転円盤２の回転で硬貨Ｃを回転円盤２の硬貨案内孔３からせり上げるようにした。【選択図】        図１
2008033799.tif 000002
【特許請求の範囲】
【請求項１】
硬貨を貯留するホッパタンクと、
前記ホッパタンクの底部を形成するとともに硬貨を一枚ずつ分離して案内する硬貨案内孔を有する回転円盤と、
前記回転円盤との間隔が硬貨一枚の厚さより大きく、かつ硬貨二枚の厚さ未満になるように前記回転円盤を回転可能に支持する底板と、
前記回転円盤の硬貨案内孔により前記底板の上に案内された硬貨に当接して硬貨を移動させる前記回転円盤に固着された硬貨誘導突出部と、
該硬貨誘導突出部により移動される硬貨の端部に当接して該硬貨を硬貨排出口へ排出させる前記底板に固着された係止排出部と、
湾曲した自由端部を有し、その自由端部が前記回転円盤の硬貨案内孔の縁部に接するように前記ホッパタンクに固着されたアームとを設け、
前記回転円盤の硬貨案内孔の縁部および前記係止排出部に当接して傾斜した硬貨の端部で、該硬貨の端部と該回転円盤の硬貨案内孔の縁部との間に位置した前記アームの自由端部を押圧し、前記回転円盤の回転で該硬貨を前記回転円盤の硬貨案内孔からせり上げるようにしたことを特徴とする硬貨繰出装置。
【請求項２】
請求項１の硬貨繰出装置において、
前記アームを、金属細線としたことを特徴とする硬貨繰出装置。
【請求項３】
請求項１または請求項２の硬貨繰出装置において、
前記回転円盤の中心部に、突起部を設けたことを特徴とする硬貨繰出装置。
【請求項４】
硬貨を貯留するホッパタンクと、
前記ホッパタンクの底部を形成するとともに硬貨を一枚ずつ分離して案内する硬貨案内孔を有する回転円盤と、
前記回転円盤との間隔が硬貨一枚の厚さより大きく、かつ硬貨二枚の厚さ未満になるように前記回転円盤を回転可能に支持する底板と、
前記回転円盤の硬貨案内孔により前記底板の上に案内された硬貨に当接して硬貨を移動させる前記回転円盤に固着された硬貨誘導突出部と、
該硬貨誘導突出部により移動される硬貨の端部に当接して該硬貨を硬貨排出口へ排出させる前記底板に固着された係止排出部と、
前記ホッパタンクの壁面に固着され、前記係止排出部の上方に突出した硬貨案内孔閉止突出部とを設け、
前記係止排出部の上方から前記回転円盤の硬貨案内孔に硬貨が落下しないようにしたことを特徴とする硬貨繰出装置。
【請求項５】
請求項１から請求項３または請求項４の硬貨繰出装置において、
前記回転円盤を正転、逆転、または停止させる駆動手段と、
前記硬貨排出口へ硬貨が排出されたことを検知する硬貨検知手段と、
前記駆動手段で回転円盤を回転させてから前記硬貨検知手段で硬貨排出口へ硬貨が排出されたことを検知するまでの監視時間を予め記憶した記憶手段と、
前記起動手段に回転円盤を正転させる指示を出力するとともに前記記憶手段から監視時間を読み出し、該監視時間を経過しても前記硬貨検知手段から硬貨排出口へ硬貨が排出されたことを検知した旨の通知がない場合、前記駆動手段に前記回転円盤を停止および逆転させる指示を出力する制御手段とを設けたことを特徴とする硬貨繰出装置。
【発明の詳細な説明】
【技術分野】
【０００１】
本発明は、回転円盤を用いて硬貨を一枚ずつ繰出す硬貨繰出装置に関する。
【背景技術】
【０００２】
従来の硬貨繰出装置を図面にしたがって説明する。
図６は従来の硬貨繰出装置を示す平面図（ａ）および側面説明図（ｂ）である。
従来の硬貨繰出装置は、図６に示すように多量の硬貨Ｃを貯留することができるホッパタンク１０１、ホッパタンク１０１の下方に回転円盤１０２、回転円盤１０２に硬貨Ｃを案内する硬貨案内孔１０３、さらに回転円盤１０２の下方に底板１０６が設けられている。
【０００３】
ホッパタンク１０１に貯留された硬貨Ｃは、回転円盤１０２の硬貨案内孔１０３に一枚ずつ納められ、その回転円盤１０２が図中矢印Ａの示す方向に回転することにより回転円盤１０２の下方に設けられた硬貨誘導突出部１０７に当接してガイド１０９に案内され搬送される。
さらに、回転円盤１０２により搬送された硬貨Ｃは底板１０６に設けられたストッパ１０８に当接する。ストッパ１０８に当接した硬貨Ｃは、硬貨誘導突出部１０７により後部を押圧されることにより図中矢印Ｂの示す方向へ押し出され、さらに図示しないスプリング付アームで付勢されたふたつのピッカローラ１１０を押し広げ、そのピッカローラ１１０の中心線を通過するとその弾性力により硬貨排出口へ排出される。
【０００４】
このようにして、ホッパタンク１０１に貯留された硬貨Ｃを一枚ずつ繰出すようにしている。
また、硬貨の移動方向の上流側から下流側にかけて上がっていく傾斜面により案内された硬貨がローラと搬送面との間に挟みこまれたとき、硬貨の後端が回転円盤の上面から浮き上がるようにし、硬貨を一枚ずつ繰出すようにしているものもある（例えば、特許文献１参照）。
【特許文献１】特開２００５−２４２６０２号公報（段落「０００８」〜段落「００１９」、図１）
【発明の開示】
【発明が解決しようとする課題】
【０００５】
しかしながら、上述した従来の技術においては、図７に示すように、回転円盤１０２の硬貨案内孔１０３に一枚ずつ納められた硬貨Ｃが硬貨誘導突出部１０７に当接せず、回転円盤１０２の縁部に当接した状態（硬貨Ｃは傾斜した状態）でストッパ１０８に当接するとその硬貨Ｃは、硬貨排出口へ搬送されることなく、硬貨案内孔１０３の上方に強くはじかれてしまう。その際、ストッパ１０８と強く当接することにより硬貨Ｃに傷が付いてしまうという問題がある。
【０００６】
特に、ストッパ１０８の上方に位置する硬貨Ｃが硬貨案内孔１０３に落下したとき、その硬貨Ｃが底板１０６から弾み、浮き上がった端部が回転円盤１０２の縁部と当接し、さらにその硬貨Ｃの端部がストッパ１０８に当接することでこのような問題が発生しやすいことが判明している。
本発明は、このような問題を解決することを課題とする。
【課題を解決するための手段】
【０００７】
そのため、本発明は、硬貨を貯留するホッパタンクと、前記ホッパタンクの底部を形成するとともに硬貨を一枚ずつ分離して案内する硬貨案内孔を有する回転円盤と、前記回転円盤との間隔が硬貨一枚の厚さより大きく、かつ硬貨二枚の厚さ未満になるように前記回転円盤を回転可能に支持する底板と、前記回転円盤の硬貨案内孔により前記底板の上に案内された硬貨に当接して硬貨を移動させる前記回転円盤に固着された硬貨誘導突出部と、該硬貨誘導突出部により移動される硬貨の端部に当接して該硬貨を硬貨排出口へ排出させる前記底板に固着された係止排出部と、湾曲した自由端部を有し、その自由端部が前記回転円盤の硬貨案内孔の縁部に接するように前記ホッパタンクに固着されたアームとを設け、前記回転円盤の硬貨案内孔の縁部および前記係止排出部に当接して傾斜した硬貨の端部で、該硬貨の端部と該回転円盤の硬貨案内孔の縁部との間に位置した前記アームの自由端部を押圧し、前記回転円盤の回転で該硬貨を前記回転円盤の硬貨案内孔からせり上げるようにしたことを特徴とする。
【発明の効果】
【０００８】
このようにした本発明は、回転円盤の縁部に当接した硬貨を硬貨案内孔からかき出すことができ、硬貨に傷を付けないようにすることができるという効果が得られる。
また、硬貨がストッパの上方から落下して硬貨案内孔に入り込むことがなくなり、硬貨が底板から弾み、浮き上がった端部が回転円盤の縁部と当接したまま、その硬貨の端部がストッパに当接することを防止し、硬貨に傷を付けないようにすることができるという効果が得られる。
【発明を実施するための最良の形態】
【０００９】
以下、図面を参照して本発明による硬貨繰出装置の実施例を説明する。
【実施例】
【００１０】
まず、第１の実施例について説明する。
図１は第１の実施例における硬貨繰出装置を示す平面図（ａ）および側面説明図（ｂ）である。
１はホッパタンクであり、多量の硬貨を貯留することができるものである。このホッパタンク１は上方が広く開口した開口部を有し、その開口部から硬貨を受入れて貯留するとともに下方に向け徐々に絞られている。
【００１１】
２は回転円盤であり、下方に向け徐々に絞られたホッパタンク１の底部を形成するとともに回転することによりホッパタンク１に貯留された硬貨を１枚ずつ分離して繰出すための板状のものである。
３は硬貨案内孔であり、回転円盤２に形成され、貯留した硬貨を１枚ずつ分離するための貫通孔である。この硬貨案内孔３は硬貨を通過させるために硬貨の径よりやや大きな径を有し、下方から上方に向けて拡がる傾斜面を形成している。
【００１２】
４はモータであり、その回転軸が回転円盤２の中心に固着されているものである。このモータ４は正転、および逆転の両方向に回転可能に構成されているものである。
５は攪拌スプリングであり回転円盤２の中心に固着されたものである。この攪拌スプリング５はモータ４により回転円盤２とともに回転し、図示しない部材を固着させて偏心させることにより、回転円盤２の中心部周辺の硬貨を硬貨案内孔３へ誘導するためのものである。
【００１３】
６は底板であり、ホッパタンク１の底面を形成する部材である。この底板６は、回転円盤２との隙間が硬貨１枚の厚さより大きく、２枚分の厚さ未満（例えば、硬貨１枚の厚さが１．５ｍｍとすると隙間は１．７５ｍｍ）になるように配置されている。
７は硬貨誘導突出部であり、回転円盤２の下面に固着された部材である。この硬貨誘導突出部７の高さは、底板６と回転円盤２の隙間未満であり、かつ硬貨誘導突出部７と底板６との隙間が硬貨１枚の厚さ未満であり、図中矢印Ｄが示す方向に回転円盤２が回転すると硬貨誘導突出部７は硬貨案内孔３を通過した底板６上の硬貨の端部に当接するように形成されている。
【００１４】
８はストッパ（係止排出部）であり、底板６に設けられ、硬貨１枚の厚さと略等しい高さを有する突起部材である。このストッパ８は、図中矢印Ｄが示す方向に回転した回転円盤２の硬貨誘導突出部７、および硬貨を案内するガイド９により搬送される硬貨の端部に当接することにより、その硬貨を回転円盤２の外側（図中矢印Ｅが示す方向）に誘導するためのものである。したがって、このストッパ８は硬貨の排出口の近傍に配置されるものである。
【００１５】
１０はピッカローラであり、硬貨を排出する硬貨排出口の近傍に設けられたふたつの回転可能なローラである。このふたつのピッカローラ１０のうちひとつのピッカローラ１０は底板６に固着され、他のピッカローラ１０は、図示しないスプリング等の弾性部材で付勢された回動部材の端部に設けられている。なお、この回動部材の他の端部は支点であり、底板６に回動可能に軸止されている。
【００１６】
この付勢されたピッカローラ１０は、ストッパ８に当接して誘導された硬貨により押し広げられ、その硬貨の中心がふたつのピッカローラ１０の中心を結ぶ線を越えると弾性部材の弾性力により硬貨を硬貨排出口へ排出する。
１１は通過センサであり、硬貨排出口の近傍に配置された光学式センサ等である。この通過センサ１１により硬貨が硬貨排出口に排出されたことが検知される。
【００１７】
２１はタンクスプリング（アーム）であり、針金状の金属細線等で構成され、一端部がコイル状に複数回巻かれ、また他の端部（自由端部）が湾曲したもの（例えば、コイル状に１回巻かれたもの）である。
このタンクスプリング２１は、複数回巻かれた端部がホッパタンク１の内壁面に固着されるとともに、湾曲した自由端部２１１が、ストッパ８の近傍の上方であって、図１（ａ）の矢印Ｄが示す方向に回転した回転円盤２の壁面により搬送される硬貨、すなわち硬貨案内孔３を完全に通過することができなかった硬貨の端部と硬貨案内孔３の壁面との間に位置するように、すなわち湾曲した自由端部２１１が硬貨案内孔３の縁部に接するように構成されている。
【００１８】
なお、タンクスプリング２１の湾曲した自由端部２１１は、他の端部がコイル状に複数回巻かれているため、容易に上下動することができ、硬貨案内孔３の傾斜面に当接しても回転円盤２は回転可能に構成されている。
また、タンクスプリング２１の湾曲した自由端部２１１と他の端部を結ぶ金属細線は直線形状に限られることなく、湾曲した自由端部２１１が硬貨案内孔３を通過することができなかった硬貨の端部と硬貨案内孔３の壁面との間に位置するよう構成されていれば屈折等してもよい。
【００１９】
上述した構成の作用について説明する。
まず、正常に硬貨が繰出され硬貨排出口へ搬送される動作を説明する。
ホッパタンク１内に硬貨Ｃが貯留された状態で図示しない制御手段によりモータ４を駆動させて回転円盤２を図１（ａ）の矢印Ｄが示す方向へ回転させる。
回転円盤２を回転させると貯留された硬貨Ｃのうち１枚の硬貨Ｃがひとつの硬貨案内孔３を通過する。このとき、タンクスプリング２１の湾曲した自由端部２１１をストッパ８の近傍の上方に配置することで硬貨Ｃがストッパ８の上方から落下して硬貨案内孔３に入り込むことがなくなり、硬貨案内孔３を通過した硬貨Ｃが底板６から弾み、浮き上がった端部が回転円盤２の縁部と当接したまま、その硬貨Ｃの端部がストッパ８に当接することを防止することができる。
【００２０】
硬貨案内孔３を完全に通過した底板６上の硬貨Ｃは、回転する回転円盤２に固着された硬貨誘導突出部７に当接して押圧されるとともにガイド９に案内されて搬送される。
搬送された硬貨Ｃの端部はストッパ８に当接し、その硬貨は回転円盤２の外側（図１（ａ）の矢印Ｅが示す方向）に誘導される。
ピッカローラ１０は、ストッパ８に当接して誘導された硬貨により押し広げられ、その硬貨の中心がふたつのピッカローラ１０の中心を結ぶ線を越えると弾性部材の弾性力により硬貨を硬貨排出口へ排出する。
【００２１】
そして、通過センサ１１により硬貨が硬貨排出口に排出されたことが検知されて繰出し動作を終了する。
次に、硬貨Ｃが硬貨案内孔３を通過することができなかった場合を説明する。
ホッパタンク１内に硬貨Ｃが貯留された状態でモータ４を駆動させて回転円盤２を図１（ａ）の矢印Ｄが示す方向へ回転させる。
【００２２】
ここで、硬貨Ｃは硬貨案内孔３を通過することができず、図２に示すように傾斜した状態、すなわち硬貨誘導突出部７でなく回転円盤２の壁面により搬送されるものとする。
回転円盤２が回転することにより、その壁面と、その壁面で押圧されて搬送される硬貨Ｃの端部とで、タンクスプリング２１の湾曲した自由端部２１１を挟む。
さらに、回転円盤２を回転させるとその硬貨Ｃの端部はストッパ８に当接して停止するとともに回転円盤２の壁面でタンクスプリング２１の湾曲した自由端部２１１を強く押圧する。
【００２３】
回転円盤２の壁面でタンクスプリング２１の湾曲した自由端部２１１を強く押圧すると、硬貨Ｃは、タンクスプリング２１の湾曲した自由端部２１１の抗力により図２の矢印Ｆが示す方向にせり上げられ、かき出される。
さらに、かき出された硬貨Ｃによりストッパ８の上方の硬貨Ｃも弾き出されるため、ストッパ８の上方の硬貨Ｃが硬貨案内孔３に入り込むことがなくなる。
【００２４】
また、タンクスプリング２１の湾曲した自由端部２１１をストッパ８の近傍の上方に配置することで硬貨Ｃがストッパ８の上方から落下して硬貨案内孔３に入り込むことがなくなる。
以上説明したように、第１の実施例では、タンクスプリング２１の湾曲した自由端部２１１をストッパ８の近傍の上方に配置することで硬貨Ｃがストッパ８の上方から落下して硬貨案内孔３に入り込むことがなくなるため、硬貨Ｃが底板６から弾み、浮き上がった端部が回転円盤２の縁部と当接したまま、その硬貨Ｃの端部がストッパ８に当接することを防止し、硬貨Ｃに傷を付けないようにすることができるという効果が得られる。
【００２５】
また、回転円盤２の縁部と硬貨Ｃの間に入りこんだタンクスプリング２１の湾曲した自由端部２１１で硬貨Ｃを押圧することにより、その硬貨Ｃを硬貨案内孔３からかき出すことができ、硬貨Ｃに傷を付けないようにすることができるという効果が得られる。
次に、第２の実施例を説明する。
第１の実施例では、ホッパタンク１の貯留された硬貨Ｃの枚数が少なくなるとその硬貨Ｃが回転円盤２上に滞留し、硬貨案内孔３に入り難くなり、繰出す動作に時間がかかってしまうという問題がある。第２の実施例ではその問題を解決する。
【００２６】
なお、第２の実施例の構成は上述した第１の実施例の構成と同様なので同一の符号を付してその説明を省略する。
第２の実施例の構成の作用について説明する。
図３は第２の実施例における硬貨繰出し動作を示すフローチャートであり、図中Ｓで表すステップにしたがって説明する。
【００２７】
なお、硬貨繰出装置１は図示しないメモリや磁気ディスク等の記憶手段に格納されたプログラム（ソフトウェア）に基づいて図示しない中央処理装置等の制御手段により制御されるものとする。また、この制御手段は時間を計測する時計機能を有しているものとする。
まず、ホッパタンク１内に硬貨Ｃが貯留されているものとするが、以下の説明では便宜上１枚の硬貨を繰出す動作を説明するものとする。
【００２８】
Ｓ１：制御手段はモータ４を正転方向に回転させ、回転円盤２を図１（ａ）における矢印Ｄが示す方向に回転させる。
Ｓ２：回転円盤２を回転させると硬貨案内孔３を通過した底板６上の硬貨Ｃは、回転する回転円盤２に固着した硬貨誘導突出部７に当接して押圧されるとともにガイド９に案内されて搬送される。
【００２９】
次に、搬送された硬貨Ｃの端部はストッパ８に当接し、その硬貨は回転円盤２の外側（図１（ａ）の矢印Ｅが示す方向）に誘導され、硬貨排出口へ排出される。
制御手段は、通過センサ１１により硬貨が硬貨排出口に排出されたか否かを検知し、硬貨Ｃが硬貨排出口に排出されたことを検知すると処理を硬貨の鑑別を行う検銭処理等の次の処理へ移行する。
【００３０】
一方、硬貨Ｃが硬貨排出口に排出されたことを検知できない場合、処理をＳ３へ移行する。
Ｓ３：制御手段は、通過センサ１１で硬貨Ｃが硬貨排出口に排出されたことを検知できなかった場合、Ｓ１でモータ４の回転を開始してからの経過時間が記憶手段に予め記憶された所定の時間（通過監視時間）を経過しているか否かの判定を行う。
【００３１】
その結果、所定の時間（通過監視時間）を経過していると判定されると処理をＳ４へ移行し、一方、所定の時間（通過監視時間）をまだ経過していないと判定されると処理をＳ２へ移行する。
Ｓ４：制御手段は、モータ４の回転を開始してからの経過時間が記憶手段に予め記憶された所定の時間（通過監視時間）を経過していると判定するとモータ４の回転を停止させる。
【００３２】
Ｓ５：次に、制御手段は、モータ４を逆転方向に回転させ、回転円盤２を図１（ａ）における矢印Ｄが示す方向に対して逆方向に回転させる。
Ｓ６：モータ４を逆転方向に回転させると制御手段はモータ４を逆転方向に回転を開始してからの経過時間が記憶手段に予め記憶された所定の時間（逆回転時間）を経過したことを検知するとモータ４を停止させ、処理をＳ１へ移行する。
【００３３】
このように、回転円盤２を一定時間逆回転させ、ホッパタンク１に貯留した硬貨Ｃを硬貨案内孔３に入りやすくする。
以上説明したように、第２の実施例では、ホッパタンク１の貯留された硬貨Ｃの枚数が少なくなっても、その硬貨Ｃが回転円盤２上に滞留することなく硬貨案内孔３に入り易くなるという効果が得られる。
【００３４】
また、第１の実施例の構成と組み合わせることにより、さらに硬貨Ｃに傷を付けないようにすることができるという効果が得られる。
次に、第３の実施例を説明する。
第１の実施例では、ホッパタンク１の貯留された硬貨Ｃの枚数が少なくなるとその硬貨Ｃが回転円盤２上に滞留し、硬貨案内孔３に入り難くなり、繰出す動作に時間がかかってしまうという問題がある。特に、回転円盤２の中心部付近に硬貨Ｃが滞留し易いという問題がある。第３の実施例ではその問題を解決する。
【００３５】
図４は第３の実施例における回転円盤を示す平面図（ａ）および側面説明図（ｂ）である。
図４において、３１は回転円盤突起部であり、回転円盤２の中心部に設けられ、ホッパタンク１の開口部に向かって突起したものである。この回転円盤突起部３１は、上方に突起した球面状に形成され、その球面の上部の一部に傾斜面３１１が形成されたものである。この傾斜面３１１により貯留した硬貨Ｃを硬貨案内孔３へ滑らかに落とすことができる。
【００３６】
なお、この傾斜面３１１は回転円盤突起部３１の中心部（攪拌スプリング５が固着されている部分）の近傍を斜めに切り落とすように形成されることが望ましい。このように回転円盤突起部３１を偏心させることにより、傾斜面３１１の縁部で回転円盤２の中心付近に重なり合って滞留しようとする硬貨Ｃを攪拌することができる。
また、図４（ａ）で示すように、回転円盤突起部３１は、その中心部の上方から硬貨案内孔３と隣接した硬貨案内孔３の間に向けて下方に傾斜した稜線３１２が形成された部位を有している。この稜線３１２が形成された部位により、上述した傾斜面３１１の縁部で攪拌された硬貨Ｃを分散させることができる。
【００３７】
なお、この稜線３１２が形成された部位は、稜線３１２が形成された部位は傾斜面３１１が形成された部分を除いた部位に形成されるものとする。例えば、５個の硬貨案内孔３が形成された回転円盤２の場合、稜線３１２が形成された部位は傾斜面３１１が形成された部分を除き、４方向に形成されるものとする。
以上説明したように、第３の実施例では、ホッパタンク１の貯留された硬貨Ｃの枚数が少なくなっても、その硬貨Ｃが回転円盤２上に滞留することなく硬貨案内孔３に入り易くなるという効果が得られる。
【００３８】
また、第１の実施例および第２の実施例の構成および作用も組み合わせることにより、さらに硬貨Ｃに傷を付けないようにすることができるという効果が得られる。
次に、第４の実施例を説明する。
図５は第４の実施例における硬貨繰出装置を示す平面図（ａ）および側面説明図（ｂ）である。
【００３９】
図５において、４１は硬貨案内孔閉止突出部であり、ストッパ８の上方のホッパタンク１の壁面に固着され、ホッパタンク１の内側に突出したものである。この硬貨案内孔閉止突出部４１は、例えば、図５（ａ）に示すように回転円盤２の硬貨案内孔３の略全部を覆うように（ストッパ８の上方に）突出し、また、図５（ｂ）に示すように回転円盤２との間隔が硬貨Ｃの厚さ未満となるように配置されたものである。
【００４０】
なお、上述した第１の実施例の構成と同様な部分は同一の符号を付してその説明を省略する。
このように構成された第４の実施例では、硬貨案内孔閉止突出部４１により、ホッパタンク１に貯留された硬貨Ｃがストッパ８の上方から硬貨案内孔３に落下することを防止し、硬貨Ｃの端部が回転円盤２の縁部に当接することを防止する。
【００４１】
なお、上述した実施例１、実施例２、実施例３、および実施例４は異なる構成および作用として説明したが、実施例１、実施例２、実施例３、および実施例４の構成および作用のうち、２以上の構成および作用を兼ね備えたものにしてもよい。
以上説明したように、第４の実施例では、硬貨Ｃがストッパ８の上方から落下して硬貨案内孔３に入り込むことがなくなるため、硬貨Ｃが底板６から弾み、浮き上がった端部が回転円盤２の縁部と当接したまま、その硬貨Ｃの端部がストッパ８に当接することを防止し、硬貨Ｃに傷を付けないようにすることができるという効果が得られる。
【００４２】
また、実施例１、実施例２および実施例３の構成および作用も備えることでさらに硬貨Ｃに傷を付けないようにすることができるという効果が得られる。
【図面の簡単な説明】
【００４３】
【図１】第１の実施例における硬貨繰出装置を示す平面図および側面説明図
【図２】第１の実施例における硬貨繰出し動作を示す説明図
【図３】第２の実施例における硬貨繰出し動作を示すフローチャート
【図４】第３の実施例における回転円盤を示す平面図および側面説明図
【図５】第４の実施例における硬貨繰出装置を示す平面図および側面説明図
【図６】従来の硬貨繰出装置を示す平面図および側面説明図
【図７】従来の硬貨繰出装置における硬貨繰出し動作を示す説明図
【符号の説明】
【００４４】
１    ホッパタンク
２    回転円盤
３    硬貨案内孔
４    モータ
５    攪拌スプリング
６    底板
７    硬貨誘導突出部
８    ストッパ
９    ガイド
１０  ピッカローラ
１１  通過センサ
２１  タンクスプリング
３１  回転円盤突起部
４１  硬貨案内孔閉止突出部
【図１】
2008033799.tif 000003
【図２】
2008033799.tif 000004
【図３】
2008033799.tif 000005
【図４】
2008033799.tif 000006
【図５】
2008033799.tif 000007
【図６】
2008033799.tif 000008
【図７】
2008033799.tif 000009